(57)【特許請求の範囲】
【請求項１】
図柄を変動表示可能に構成された遊技機において、
第１位置と第２位置とを往復移動する第１可動体と、
第３位置と第４位置とを往復移動する第２可動体とを備え、
前記第１可動体は、前方に向けて光を照射する第１発光部と、該第１発光部の前側に設けられた装飾部とを備え、
前記第２可動体は、第２発光部を備え、
前記装飾部は、前記第１発光部の光により明輝される第１領域と、該第１領域に較べて第１発光部の光により明輝され難い第２領域とを有し、前記第１可動体が第１位置に位置すると共に第２可動体が第３位置に位置した際に、前記第２領域が前記第２発光部の光により明輝され、前記第１可動体が第２位置に位置すると共に第２可動体が第４位置に位置した際に、前記装飾部の第２領域が前記第２発光部の光で明輝されるよう構成した
ことを特徴とする遊技機。
【請求項２】
図柄を変動表示可能に構成された遊技機において、
第１位置と第２位置とを往復移動する第１可動体と、
第３位置と第４位置とを往復移動する第２可動体とを備え、
前記第１可動体は、前方に向けて光を照射する第１発光部と、該第１発光部の前側に設けられた装飾部とを備え、
前記第２可動体は、第２発光部を備え、
前記装飾部は、前記第１発光部の光により明輝される第１領域と、該第１領域に較べて第１発光部の光により明輝され難い第２領域とを有し、前記第１可動体が第１位置に位置すると共に第２可動体が第３位置に位置した際に、前記第２領域が前記第２発光部の光により明輝されるよう構成され、
演出画像を表示する表示部を当該遊技機の前側から視認し得るよう配設された表示装置を備え、
前記第１可動体は、第２位置に位置した際に、前記表示部の前側に臨み、前記装飾部の第２領域が表示部に表示された演出画像の光により明輝されるよう構成した
ことを特徴とする遊技機。
【請求項３】
遊技球が流下する遊技領域が画成された遊技盤を備えた遊技機において、
第１位置と第２位置とを往復移動する第１可動体と、
第３位置と第４位置とを往復移動する第２可動体とを備え、
前記第１可動体は、前方に向けて光を照射する第１発光部と、該第１発光部の前側に設けられた装飾部とを備え、
前記第２可動体は、第２発光部を備え、
前記装飾部は、前記第１発光部の光により明輝される第１領域と、該第１領域に較べて第１発光部の光により明輝され難い第２領域とを有し、前記第１可動体が第１位置に位置すると共に第２可動体が第３位置に位置した際に、前記第２領域が前記第２発光部の光により明輝されるよう構成され、
前方に開放する設置空間を画成した設置部材が前記遊技盤の後側に設けられて、該設置空間の前方開口を前記第１可動体の装飾部が移動するよう構成され、
前記第１可動体が第１位置に位置した際に、前記装飾部の第２領域が設置空間の外側へ突出するよう構成した
ことを特徴とする遊技機。
【発明の詳細な説明】
【技術分野】
【０００１】
この発明は、可動体を備えた遊技機に関するものである。
【背景技術】
【０００２】
例えば、遊技機の代表例の一つであるパチンコ機は、機内にセットされる遊技盤の盤面に遊技球としてのパチンコ球が打出される遊技領域が画成されている。遊技領域の略中央位置には、センター役物とも称される枠状装飾部材が配設されており、この枠状装飾部材の開口部を介して複数の図柄を変動表示して図柄変動演出を行なう液晶式やドラム式等の図柄表示装置を後方から臨ませると共に、該遊技盤における枠状装飾部材の下方位置に、パチンコ球の入賞により図柄表示装置での変動を開始させる始動入賞装置を配設するよう構成したものが多数提案されている。前記遊技領域を流下するパチンコ球が、始動入賞装置に入賞することで、図柄表示装置での図柄変動演出を開始させると共に、所定数のパチンコ球を賞球として払出すよう構成されている。そして、図柄変動演出の結果、図柄表示装置に所定の組合わせ(例えば同一図柄の三つ揃い等)で図柄が停止すると、遊技者に有利な所謂大当りが発生し、特別入賞装置の特別入賞口が開放して賞球を獲得し得る機会が付与される。
【０００３】
また、前記遊技盤には、所要の動作を行なう可動体を備えた演出装置が配設され、該可動体を前記図柄表示装置で行なわれる遊技演出に合わせて動作させることにより、視覚的な演出効果を向上させ、遊技の興趣を一層増大するようにしたパチンコ機が知られている。例えば、特許文献１には、回動自在に構成された可動体を備えた演出装置が枠状装飾部材に配設されたパチンコ機が開示されている。特許文献１の可動体は、演出装置の本体部に回動自在に軸支されたベース体と、該ベース体の前側に設けられ、所定方向に延在するロケット形状をなす装飾部とから構成されている。非演出時には、可動体は、枠状装飾部材の開口部の縁部に沿って上下方向に延在した第１位置に保持される。そして、パチンコ機が所定の遊技状態になると、前記ベース体が装飾部と共に回動して、可動体は、前記表示部の前側に臨むよう傾斜した第２位置に移動するようになっている。
【０００４】
また、特許文献１のベース体には、複数の発光素子を備えた発光基板が配設されている。この発光基板は、前記装飾部より小さな面積に設定されており、発光基板は、可動体に前側から覆われた状態でベース体に配設されている。そして、所定のタイミングで発光素子が発光することで、装飾部を明輝させて発光演出が行われるようになっている。
【先行技術文献】
【特許文献】
【０００５】
【特許文献１】特開２０１０−３５７１９号公報
【発明の概要】
【発明が解決しようとする課題】
【０００６】
ところが、特許文献１の構成では、発光基板が装飾部より小さなサイズに設定されているため、発光基板の光の照射範囲(発光素子の設置範囲)は、装飾部より小さくなっている。従って、装飾部において発光基板から突出する部分は、発光素子からの光によって直接照らされないため、当該部分の明るさは相対的に弱くなってしまう。このため、発光演出時において、装飾部に明るい部分と暗い部分とが生じてしまい、可動体の美観が低下する難点があった。
【０００７】
ここで、装飾部と同じ面積を有する発光基板を採用することで、装飾部の全体を明輝させることは可能である。しかしながら、近年では、より迫力のある演出効果を発揮し得るよう装飾部が大型化する傾向にあり、装飾部に合わせて発光基板を大きくした場合には、可動体全体の重量が嵩んでしまう。その結果、重量の大きな可動体を駆動させるために出力の大きな駆動源が必要となり、製品コストが増大してしまう。
【０００８】
また、近年では、遊技盤の後側に配設される箱状の設置部材に、可動体を設置することが多くなっている。ところが、設置部材の形状は、遊技盤の寸法に合わせて設定されているため、設置部材の設置空間を自由に拡げることはできず、可動体のサイズは制約を受けることとなる。一方で、可動体のサイズを全体的に小さくした場合には、遊技者から視認される装飾部も小さくなり、インパクトのある演出を行うことが困難となる。
【０００９】
すなわち、本発明は、従来技術に係る遊技機に内在する前記問題に鑑み、これらを好適に解決するべく提案されたものであって、装飾部全体を明輝させて、発光演出時における美観の低下を防止し得るようにした遊技機を提供することを目的とする。
【課題を解決するための手段】
【００１０】
前記課題を解決し、所期の目的を達成するため、請求項１に係る遊技機は、
図柄を変動表示可能に構成された遊技機において、
第１位置と第２位置とを往復移動する第１可動体(46)と、
第３位置と第４位置とを往復移動する第２可動体(109)とを備え、
前記第１可動体(46)は、前方に向けて光を照射する第１発光部(87)と、該第１発光部(87)の前側に設けられた装飾部(90)とを備え、
前記第２可動体(109)は、第２発光部(136)を備え、
前記装飾部(90)は、前記第１発光部(87)の光により明輝される第１領域(105)と、該第１領域(105)に較べて第１発光部(87)の光により明輝され難い第２領域(106)とを有し、前記第１可動体(46)が第１位置に位置すると共に第２可動体(109)が第３位置に位置した際に、前記第２領域(106)が前記第２発光部(136)の光により明輝され、前記第１可動体(46)が第２位置に位置すると共に第２可動体(109)が第４位置に位置した際に、前記装飾部(90)の第２領域(106)が前記第２発光部(136)の光で明輝されるよう構成したことを要旨とする。
請求項１の発明によれば、第１可動体が第１位置に位置すると共に第２可動体が第３位置に位置する場合において、第１発光部の光により明輝され難い装飾部の第２領域が、第２発光部の光で明輝される構成とした。すなわち、第１発光部および第２発光部により装飾部の略全体を明輝させることができるから、発光演出時の美観が低下するのを防止し得る。しかも、第１発光部は、装飾部の全体を明輝させる必要がなく、サイズの小さなものを採用し得るから、第１可動体の重量を小さくすることができる。従って、大型の装飾部を設けたとしても、第１可動体の重量が大きくなるのを抑制することができ、第１可動体の駆動源として、出力の小さなものを採用することができる。また、第１発光部の大型化を招くことなく大きなサイズの装飾部を採用し得るから、インパクトのある演出を行うことが可能となる。
また、第１可動体が第２位置に位置すると共に第２可動体が第４位置に位置した状態で、装飾部の第２領域が第２発光部の光で明輝される構成とした。従って、第１可動体が第２位置に位置した場合においても、装飾部の略全体を明輝させることができるから、装飾部の美観が低下するのを防止することができる。
【００１２】
前記課題を解決し、所期の目的を達成するため、請求項２に係る遊技機は、
図柄を変動表示可能に構成された遊技機において、
第１位置と第２位置とを往復移動する第１可動体(46)と、
第３位置と第４位置とを往復移動する第２可動体(109)とを備え、
前記第１可動体(46)は、前方に向けて光を照射する第１発光部(87)と、該第１発光部(87)の前側に設けられた装飾部(90)とを備え、
前記第２可動体(109)は、第２発光部(136)を備え、
前記装飾部(90)は、前記第１発光部(87)の光により明輝される第１領域(105)と、該第１領域(105)に較べて第１発光部(87)の光により明輝され難い第２領域(106)とを有し、前記第１可動体(46)が第１位置に位置すると共に第２可動体(109)が第３位置に位置した際に、前記第２領域(106)が前記第２発光部(136)の光により明輝されるよう構成され、
演出画像を表示する表示部(15a)を当該遊技機の前側から視認し得るよう配設された表示装置(15)を備え、
前記第１可動体(46)は、第２位置に位置した際に、前記表示部(15a)の前側に臨み、前記装飾部(90)の第２領域(106)が表示部(15a)に表示された演出画像の光により明輝されるよう構成したことを要旨とする。
請求項２の発明によれば、第１可動体が第１位置に位置すると共に第２可動体が第３位置に位置する場合において、第１発光部の光により明輝され難い装飾部の第２領域が、第２発光部の光で明輝される構成とした。すなわち、第１発光部および第２発光部により装飾部の略全体を明輝させることができるから、発光演出時の美観が低下するのを防止し得る。しかも、第１発光部は、装飾部の全体を明輝させる必要がなく、サイズの小さなものを採用し得るから、第１可動体の重量を小さくすることができる。従って、大型の装飾部を設けたとしても、第１可動体の重量が大きくなるのを抑制することができ、第１可動体の駆動源として、出力の小さなものを採用することができる。また、第１発光部の大型化を招くことなく大きなサイズの装飾部を採用し得るから、インパクトのある演出を行うことが可能となる。
また、第１可動体が第２位置に位置した際に、装飾部の第２領域が表示部の演出画像の光により明輝される構成としたから、第１可動体が第２位置に位置した場合においても、装飾部の略全体を明輝させることができ、装飾部の美観が低下するのを防止し得る。また、請求項２に従属する場合において、第２可動体が第３位置に位置した状態でも、第１発光部および表示部の光により装飾部の全体を明輝させることができる。更に、第１可動体が第２位置に位置すると共に第２可動体が第４位置に位置した状態では、第２発光部および表示部の光により装飾部の第２領域を明輝させ得るので、該第２領域を更に明るく照らすことができる。
【００１３】
前記課題を解決し、所期の目的を達成するため、請求項３に係る遊技機は、
遊技球が流下する遊技領域(34)が画成された遊技盤(12)を備えた遊技機において、
第１位置と第２位置とを往復移動する第１可動体(46)と、
第３位置と第４位置とを往復移動する第２可動体(109)とを備え、
前記第１可動体(46)は、前方に向けて光を照射する第１発光部(87)と、該第１発光部(87)の前側に設けられた装飾部(90)とを備え、
前記第２可動体(109)は、第２発光部(136)を備え、
前記装飾部(90)は、前記第１発光部(87)の光により明輝される第１領域(105)と、該第１領域(105)に較べて第１発光部(87)の光により明輝され難い第２領域(106)とを有し、前記第１可動体(46)が第１位置に位置すると共に第２可動体(109)が第３位置に位置した際に、前記第２領域(106)が前記第２発光部(136)の光により明輝されるよう構成され、
前方に開放する設置空間(39)を画成した設置部材(14)が前記遊技盤(12)の後側に設けられて、該設置空間(39)の前方開口(39a)を前記第１可動体(46)の装飾部(90)が移動するよう構成され、
前記第１可動体(46)が第１位置に位置した際に、前記装飾部(90)の第２領域(106)が設置空間(39)の外側へ突出するよう構成したことを要旨とする。
請求項３の発明によれば、第１可動体が第１位置に位置すると共に第２可動体が第３位置に位置する場合において、第１発光部の光により明輝され難い装飾部の第２領域が、第２発光部の光で明輝される構成とした。すなわち、第１発光部および第２発光部により装飾部の略全体を明輝させることができるから、発光演出時の美観が低下するのを防止し得る。しかも、第１発光部は、装飾部の全体を明輝させる必要がなく、サイズの小さなものを採用し得るから、第１可動体の重量を小さくすることができる。従って、大型の装飾部を設けたとしても、第１可動体の重量が大きくなるのを抑制することができ、第１可動体の駆動源として、出力の小さなものを採用することができる。また、第１発光部の大型化を招くことなく大きなサイズの装飾部を採用し得るから、インパクトのある演出を行うことが可能となる。
また、第１可動体が第１位置において、装飾部の第２領域が設置部材の外側に突出する構成とした。すなわち、第１可動体が第１位置において、装飾部が設置部材に干渉しないから、大型の装飾部を採用することができ、インパクトのある可動演出を行うことが可能となる。
【発明の効果】
【００１４】
本発明に係る遊技機によれば、第１発光部および第２発光部により装飾部の全体が明輝されるから、発光演出時における装飾部の美観が低下するのを防止し得る。
【図面の簡単な説明】
【００１５】
【図１】本発明の実施例に係るパチンコ機の正面図である。
【図２】実施例に係る遊技盤を示す正面図であって、左可動体が第１位置に位置すると共に右可動体が第３位置にした状態を示す。
【図３】実施例に係る遊技盤および枠状装飾部材を後側から見た斜視図である。
【図４】実施例に係る設置部材の正面図である。
【図５】実施例に係る設置部材の背面図である。
【図６】図２のＡ−Ａ線断面図であって、遊技盤の上部側を拡大して示す。
【図７】実施例に係る左可動体が第１位置に位置した場合において、左装飾部を取り外した状態の演出部を拡大して示す正面図である。
【図８】実施例に係る左部演出装置を示す分解斜視図である。
【図９】実施例に係る遊技盤を示す正面図であって、左可動体が第２位置に位置すると共に右可動体が第４位置にした状態を示す。
【図１０】実施例に係る左装置本体を示す分解斜視図である。
【図１１】(ａ)は左可動体が第１位置にある場合の左部演出装置を示す正面図であり、(ｂ)は左可動体が第１位置にある場合の左部演出装置を示す背面図である。
【図１２】(ａ)は左可動体が第２位置にある場合の左部演出装置を示す正面図であり、(ｂ)は左可動体が第２位置にある場合の左部演出装置を示す背面図である。
【図１３】実施例に係る演出部を示す分解斜視図である。
【図１４】実施例に係る演出部を示す背面図である。
【図１５】実施例に係る演出収容体を後側から見た状態で示す斜視図である。
【図１６】図９のＢ−Ｂ線断面図であって、演出部を拡大して示す。
【図１７】実施例に係る右部演出装置を示す分解斜視図である。
【図１８】第１右リンク部と右駆動ギヤの連繋構造を右可動体の後側から見た説明図であって、(ａ)は右可動体が第３位置にある状態を示し、(ｂ)は右可動体が第４位置にある状態を示す。
【図１９】(ａ)は前リンク半体を前側から見た状態で示す分解斜視図、(ｂ)は前リンク半体を後側から見た状態で示す分解斜視図である。
【図２０】実施例に係る左装飾部の第２領域が第２発光部の光により明輝される様子を示す左部演出装置および右部演出装置の正面図であって、左可動体が第１位置および右可動体が第３位置にある状態を示す。
【図２１】実施例に係る左装飾部の第２領域が第２発光部の光により明輝される様子を示す左部演出装置および右部演出装置の正面図であって、左可動体が第２位置および右可動体が第４位置にある状態を示す。
【図２２】第２発光部の光で左装飾部の第２領域が明輝される状態を示す左可動体および右可動体の拡大平面図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りを入れた場合を除き、図１に示すようにパチンコ機を前側(遊技者側)から見た状態で指称する。
【実施例】
【００１７】
実施例に係るパチンコ機１０は、図１に示すように、矩形枠状に形成されて遊技店の図示しない設置枠台に縦向きに設置される固定枠としての矩形枠状の外枠１１の開口前面側に、後述する遊技盤１２を着脱可能に保持する本体枠としての中枠１３が開閉および着脱可能に組付けられると共に、遊技盤１２の後側に配設された設置部材１４に対して、各種図柄を変動表示可能な図柄表示手段としての液晶表示装置１５が着脱自在に取付けられるよう構成される。また、前記中枠１３の前面側には、ガラス板等の透視保護板(図示せず)を備え、該透視保護板を介して前記遊技盤１２を透視可能な装飾枠としての前枠１６が開閉可能に組み付けられると共に、該前枠１６の下方にパチンコ球を貯留する下球受け皿１７が開閉可能に組み付けられる。更に、前記前枠１６の下部位置に、パチンコ球を貯留する上球受け皿２０が一体的に組み付けられており、前枠１６の開閉に合わせて上球受け皿２０も一体的に開閉するよう構成される。
【００１８】
図２に示すように、前記遊技盤１２は、前記中枠１３の遊技盤保持部(図示せず)に整合する略矩形平板状のベニヤ板等から構成され、遊技盤１２の後面には、箱状に形成された設置部材１４が組み付けられる。また、前記遊技盤１２は、図３に示すように、前後方向に開放する設置開口部１２ａが大きく開口しており、該設置開口部１２ａに所謂センター役とも称されて前後方向に開口する図柄表示開口部２５ａが形成された枠状装飾部材２５が配設される。そして、枠状装飾部材２５の図柄表示開口部２５ａおよび設置部材１４に形成された可視表示部１４ａ(後述)を介して、液晶表示装置１５の表示部１５ａが遊技盤１２の前面側から視認可能とされる。前記枠状装飾部材２５の上部には、ハート型の形状をなすと共に前後方向に開放する窓口２６ａが形成された演出用装飾部２６が形成されている。
【００１９】
図２に示すように、前記遊技盤１２の前面には、内レール３２と外レール３３とが半円弧状に配設されて、両レール３２,３３によりパチンコ球が流下可能な遊技領域３４が画成され、図示しない打球発射装置から発射されたパチンコ球が遊技領域３４内に打ち出されるようになっている。また、前記遊技盤１２には、前記遊技領域３４を流下するパチンコ球が入賞可能な始動入賞装置３５が配設されると共に、該始動入賞装置３５の下方に、特別入賞装置３６が配設される。前記始動入賞装置３５にパチンコ球が入賞すると、大当たり抽選が行なわれると共に、前記液晶表示装置１５に図柄変動演出を行わせるようになっている。そして、前記大当たり抽選の結果、大当たりが発生すると、液晶表示装置１５の表示部１５ａに所定の図柄組み合わせで図柄が停止表示されて、特別入賞装置３６が開放し、遊技者に多量の賞球を獲得する機会が付与される。
【００２０】
〔設置部材について〕
図４に示すように、前記設置部材１４は、前記遊技盤１２に対向する略矩形状の対向面部３７と、該対向面部３７の周縁部から前方に延出する外周壁部３８とから前方に開放する箱状に形成され、該設置部材１４の内部に設置空間３９が画成される。前記外周壁部３８の前端部には、設置部材１４の前方開口３９ａの外側へ延出する設置固定部４０が複数形成されている。そして、設置固定部４０を遊技盤１２の後面に当接させた状態で、各設置固定部４０を遊技盤１２にネジ止めすることで、設置部材１４が遊技盤１２に着脱自在に取り付けられる。
【００２１】
前記設置部材１４の上下寸法は、前記遊技盤１２の上下寸法より小さく設定されており、図５に示すように、設置部材１４を遊技盤１２に配設した際に、上側の外周壁部３８(以下、上外周壁部３８ａという)が枠状装飾部材２５の図柄表示開口部２５ａの上部(演出用装飾部２６が臨む位置)を横切るようになっている。すなわち、設置部材１４を遊技盤１２に配設した状態で、図柄表示開口部２５ａの上部が上外周壁部３８ａより上方に突出している。前記設置部材１４の設置空間３９には、図柄変動演出に合わせて可動演出および発光演出を行う演出装置４１,４２が左右に２つ配設されている(以下、左部演出装置４１および右部演出装置４２という)。図４に示すように、前記対向面部３７には、前後方向に開放する略矩形状の可視表示部１４ａが設けられており、以下の説明において、対向面部３７における可視表示部１４ａの上側部分を上対向面部３７ａ、可視表示部１４ａの下側部分を下対向面部３７ｂ、可視表示部１４ａの左側部分を左対向面部３７ｃ、可視表示部１４ａの右側部分を右対向面部３７ｄと夫々指称する(図５参照)。
【００２２】
前記対向面部３７の後側には、液晶装着部３７ｅ(図５参照)が設けられ、該液晶装着部３７ｅに、表示部１５ａを可視表示部１４ａに臨ませるように前記液晶表示装置１５が取り付けられる。液晶表示装置１５の後側には、前記演出装置４１,４２や液晶表示装置１５を制御する統括制御装置(図示せず)が配設され、該統括制御装置の制御に基づいて図柄変動演出が液晶表示装置１５で実行されると共に、各演出装置４１,４２により可動演出および発光演出が行われる。
【００２３】
図７に示すように、前記上外周壁部３８ａの左右中央部には、該上外周壁部３８ａの前端から上方(設置空間３９の外側)に延出するよう装飾反射板(光反射部)４３が配設されている。この装飾反射板４３は、前面にメッキ等の光反射処理が施された装飾板であって、後述する第２発光部１３６から光を前方に反射させるよう構成される。図５,図６に示すように、前記装飾反射板４３は、設置部材１４を遊技盤１２に配設した際に、前記図柄表示開口部２５ａの上部に臨むようになっている。
【００２４】
〔左部演出装置ついて〕
図８に示すように、前記左部演出装置４１は、前記左対向面部３７ｃに取り付けられる左装置本体４５と、該左装置本体４５に揺動自在に設けられた左可動体(第１可動体)４６とを備えている。更に、左可動体４６は、前記左装置本体４５に軸支された第１左リンク部４７および第２左リンク部４８と、第１および第２左リンク部４７,４８の端部に軸支された演出部４９とを備えている。そして、前記統括制御装置の制御により、前記左可動体４６(演出部４９)は、非演出時の第１位置(図２参照)から演出時の第２位置(図９参照)まで往復移動するよう構成される。
【００２５】
〔左装置本体について〕
図１０に示すように、前記左装置本体４５は、板状に形成されたベース基体５０の前側に、左駆動モータ５１、大径ギヤ５２およびスライダー５３が配設されて構成されている。前記ベース基体５０の前面には、前後方向に開放する左主軸孔５４と、該左主軸孔５４の下方に位置して前後方向に開放する左副軸孔５５が形成されている。また、前記ベース基体５０における前記左主軸孔５４および左副軸孔５５の左方には、前記スライダー５３を案内するスライドレール部５６が形成されている。このスライドレール部５６は、ベース基体５０の前面から前方に突出する一対の案内壁５６ａ,５６ａを備え、両案内壁５６ａ,５６ａは左右に所定間隔離間している。また、スライドレール部５６における両案内壁５６ａ,５６ａの間には、上下方向に延在する長孔状の摺動溝５７が形成されると共に、スライドレール部５６における摺動溝５７の下方には、前方に突出する案内突部５８が形成されている。前記ベース基体５０におけるスライドレール部５６の下方側には、円形状のギヤ収容部５９が凹設されており、前後方向に延在する回転軸５２ａを介してギヤ収容部５９に前記大径ギヤ５２が回転自在に配設される。図１１(ａ)に示すように、大径ギヤ５２の回転軸５２ａは、前記スライドレール部５６の延長線よりも側方(右側)に偏った位置に設けられている。前記ギヤ収容部５９の後側は、前記ベース基体５０の後面から突出しており、ギヤ収容部５９の内側面下部に噛合用開口５９ａが形成されている(図１１(ｂ)参照)。そして、前記大径ギヤ５２の歯部の一部が噛合用開口５９ａを介してベース基体５０の後側に臨んでいる。前記大径ギヤ５２の前面には、前方に突出するよう固定ボス部６０が形成されている。
【００２６】
前記左駆動モータ５１は、ベース基体５０に設けた貫通孔(図示せず)を介して該ベース基体５０の後方に駆動軸５１ａが突出するよう該ベース基体５０の前面下部に配設され、図１１(ｂ)に示すように、該駆動軸５１ａに左駆動ギヤ６１が取り付けられている。また、ベース基体５０の後面には、前記噛合用開口５９ａに隣接する位置に従動ギヤ６２が回転自在に配設されている。この従動ギヤ６２は、前記左駆動ギヤ６１に噛合すると共に、前記噛合用開口５９ａに臨む大径ギヤ５２の歯部に噛合している。従って、左駆動モータ５１の駆動に伴って前記大径ギヤ５２が回転されるようになっている。ここで、左駆動モータ５１の非作動時(左可動体４６の第１位置)では、前記大径ギヤ５２は、固定ボス部６０が前記大径ギヤ５２の回転軸５２ａの下方に位置する姿勢になるよう設定される(図１１(ａ)参照)。左駆動モータ５１が作動すると、大径ギヤ５２が図１１(ａ)の時計回り方向に回転して、前記固定ボス部６０が大径ギヤ５２の回転軸５２ａの左側を上昇するよう構成される。図１２(ａ)に示すように、大径ギヤ５２が約１８０°回転したときに、左可動体４６が第２位置に位置し、固定ボス部６０が大径ギヤ５２の回転軸５２ａの上方に位置するようになっている。なお、左可動体４６が第２位置から第１位置に移動する場合には、左駆動ギヤ６１が逆回転されて、大径ギヤ５２が図１２(ａ)の反時計回り方向に約１８０°回転される。
【００２７】
図１０に示すように、前記スライダー５３は、前記スライドレール部５６に沿って案内されるガイド部６３と、前記大径ギヤ５２に接続する作動部６４とを備え、略Ｌ字状の形状をなしている。ガイド部６３の左右方向の寸法は、前記案内壁５６ａ,５６ａ間の距離より僅かに小さく設定されており、両案内壁５６ａ,５６ａの間をガイド部６３の側端部が摺動して上下移動するようになっている。図１１(ｂ)に示すように、ガイド部６３の上部後面には、後方へ突出する摺動ボス部６５が形成され、該摺動ボス部６５に前後方向に開放する軸接続孔６６が形成されている。この軸接続孔６６には、後述するリンク連繋軸７５が挿入されるようになっている(図８参照)。前記摺動ボス部６５の直径は、前記摺動溝５７の左右方向の開口幅より僅かに小さく設定されており、ガイド部６３を案内壁５６ａ,５６ａの間にセットした際に、前記摺動ボス部６５が前記摺動溝５７内に臨むようになっている。そして、ガイド部６３が移動する際に、前記摺動ボス部６５が摺動溝５７内を摺動して、ガイド部６３を案内するようなっている。ガイド部６３には、上下方向に延在する縦溝部６７が形成されており、該縦溝部６７に前記左装置本体４５の案内突部５８が後方から挿入される。そして、縦溝部６７に挿入した案内突部５８の前端部に、該縦溝部６７の左右の開口幅より大径の固定盤６８が固定され、ガイド部６３(スライダー５３)がスライドレール部５６から離脱しないようになっている。前記縦溝部６７の左右の開口幅は、前記案内突部５８の径より僅かに大きく設定され、ガイド部６３が移動する際に、案内突部５８が縦溝部６７に対し相対移動して、ガイド部６３を案内するよう構成される。図１１(ａ)に示すように、ガイド部６３がスライドレール部５６に配設された状態では、ガイド部６３は、前記大径ギヤ５２の回転軸５２ａの左方に位置している。
【００２８】
図１０に示すように、前記作動部６４には、前後方向に開放すると共に左右方向に延在する横溝部６９が形成されている。図１１(ａ)に示すように、横溝部６９の一方の端部(左側の端部)が縦溝部６７の延長線上に位置しており、縦溝部６７および横溝部６９はＬ字状をなしている。この横溝部６９には、前記大径ギヤ５２の固定ボス部６０に固定された連結棒７０が挿通されており、大径ギヤ５２の回転に伴って該連結棒７０が横溝部６９内を移動するよう構成される。なお、前記連結棒７０の前端部には、前記横溝部６９の上下の開口幅より大径に形成された固定盤６８が固定され、横溝部６９からの連結棒７０の抜け止めがなされている。ここで、図１１(ａ)に示すように、左駆動モータ５１の非作動時(すなわち、左可動体４６の第１位置)においては、前記連結棒７０が大径ギヤ５２の回転軸５２ａの下方であって横溝部６９の左右の略中央に位置している。そして、左駆動モータ５１が作動して大径ギヤ５２が回転すると、前記連結棒７０が固定ボス部６０と共に上昇して、連結棒７０は、横溝部６９の左側を移動しつつ該横溝部６９の内側面を押し上げるようになっている。これにより、スライダー５３が上方へ押し上げられる。図１２(ａ)に示すように、大径ギヤ５２が約半回転して、左可動体４６が第２位置に位置した状態では、前記連結棒７０が大径ギヤ５２の回転軸５２ａの上方であって横溝部６９の左右の略中央に位置するよう構成される。すなわち、左可動体４６が第１位置から第２位置に移動する間、前記連結棒７０は、横溝部６９の左右中央位置から左端部までの領域に位置して、当該領域の内側面を押し上げる。
【００２９】
〔第１左リンク部について〕
図４,図１１(ａ)に示すように、前記第１左リンク部４７は、左可動体４６の第１位置において、左右方向に延在する長尺体であって、第１左リンク部４７の前側には、所要の装飾が施されている。図８に示すように、第１左リンク部４７には、前後方向に開放する第１揺動軸孔７２が開設され、該第１揺動軸孔７２に前後方向に延在する左主軸部７３の前端部が接続される。そして、前記左主軸部７３の後端部を前記左主軸孔５４に回動自在に挿入することで、第１左リンク部４７が左主軸部７３を中心として揺動し得るよう左装置本体４５に軸支される。前記第１左リンク部４７の左端部には、前後方向に開放するリンク長溝７４が所定方向に延在するよう形成され、該リンク長溝７４に、前後方向に延在するリンク連繋軸７５が挿通される。リンク連繋軸７５の前端部には、リンク長溝７４の短手方向の開口幅より大径の固定盤６８が固定される。また、リンク連繋軸７５の後端部は、前記スライダー５３の軸接続孔６６に接続され、第１左リンク部４７は、リンク連繋軸７５を介して前記スライダー５３に連繋される。そして、スライダー５３が上下方向に移動することで、リンク連繋軸７５がリンク長溝７４内を相対移動しつつ第１左リンク部４７に対し上下方向に作用して、該第１左リンク部４７が左主軸部７３を中心として回動するようになっている。第１左リンク部４７の右端部には、前後方向に開放する第１左連繋孔７６が形成されており、該第１左連繋孔７６に前記演出部４９を軸支する第１左回動軸７７(後述)が挿通される。
【００３０】
〔第２左リンク部について〕
図８に示すように、前記第２左リンク部４８は、左可動体４６が第１位置において、左右方向に略直線状に延在する線状部７８と、該線状部７８の左端部に接続する円弧状の湾曲部７９とから構成される。前記湾曲部７９の開放端部には、前後方向に開放する第２揺動軸孔８０が形成されており、該第２揺動軸孔８０に前後方向に延在する左副軸部８１の前端部が接続される。そして、前記左副軸部８１の後端部を前記左装置本体４５の左副軸孔５５に回動自在に挿入することで、第２左リンク部４８が左副軸部８１を中心として回動するよう左装置本体４５に軸支される。第２左リンク部４８は、前記第１左リンク部４７の回動に伴い回動するようになっている。前記線状部７８の右端部には、前後方向に開放する第２左連繋孔８２が形成されており、該第２左連繋孔８２に前記演出部８２を軸支する第２左回動軸８３(後述)が挿通される。
【００３１】
〔演出部について〕
図１３に示すように、前記演出部４９は、演出ベース体８４と、該演出ベース体８４を収容保持する演出収容体８６と、演出ベース体８４の前面に配設される第１発光部８７と、該第１発光部８７の前側に配設される左装飾部(装飾部)９０とを備えている。更に、演出部４９は、演出ベース体８４に取り付けられる演出用モータ８５と、第１発光部８７の前側に配設される第１拡散部８８および第２拡散部８９とを備える。図２,図４に示すように、前記演出部４９は、左可動体４６の第１位置において、設置部材１４の上外周壁部３８ａに近接し、前記演出用装飾部２６の窓口２６ａの後方に臨むよう構成される。また、演出部４９は、図９に示すように、左可動体４６の第２位置において、前記図柄表示開口部２５ａの略中央に位置して、前記液晶表示装置１５の表示部１５ａの前側に臨むようになっている。
【００３２】
図１３,図１４に示すように、前記演出ベース体８４は、前面に前記可動発光部８７が取付けられた円弧状の外縁をなす円弧状部９１と、該円弧状部９１の左下縁部(図１４では右下縁部)から外方へ突出した膨出部９２とから構成される。前記円弧状部９１の外縁は、中心角が約２４０°の円弧形状をなしている。また、円弧状部９１の外縁がなす円弧形状の中心位置に、前後方向に開放する軸挿通孔９３が形成されている。図１３に示すように、前記膨出部９２の前面には、前記演出用モータ８５が取り付けられ、該膨出部９２に形成した通孔(図示せず)を介して演出用モータ８５の駆動軸８５ａが膨出部９２の後面に突出している。図１４に示すように、演出用モータ８５の駆動軸８５ａには、演出駆動ギヤ９４が接続され、該演出駆動ギヤ９４に噛合する演出従動ギヤ９５が演出ベース体８４の後面に回転自在に軸支されている。更に、前記演出ベース体８４の後面には、前記左装飾部９０に装飾用連結軸９６(後述)を介して接続された装飾用ギヤ９７が回転自在に配設されている。装飾用ギヤ９７は、前演出従動ギヤ９５に噛合しており、演出駆動ギヤ９４が回転することで、演出従動ギヤ９５を介して装飾用ギヤ９７が回転されるようになっている。
【００３３】
図１３に示すように、前記演出収容体８６は、前記演出ベース体８４の円弧状部９１の外郭形状より僅かに大きな円弧形状をなす弧状壁部９８と、該弧状壁部９８の下側左部から左方に延出する延出装飾体９９と、弧状壁部９８の左部から左方に突出するよう形成された連結片１００とを備えている。前記弧状壁部９８は、前後方向および上方に開放しており、内部に前記演出ベース体８４を収容する空間が画成さている。図１４に示すように、前記弧状壁部９８に演出ベース体８４が収容された状態では、該弧状壁部９８が演出ベース体８４の円弧状部９１の外縁部に整合するよう構成される。また、図１３に示すように、弧状壁部９８の内側面には、該弧状壁部９８の前端から僅か後方位置において内側へ突出する設置リブ１０１が形成されており、該設置リブ１０１の前側に前記第２拡散部８９が設置されるよう構成される。前記延出装飾体９９は、演出収容体８６に演出ベース体８４を取り付けた状態で前記演出用モータ８５の前側に位置し、該演出用モータ８５を前側から覆うようになっている。図１５に示すように、延出装飾体９９の後面には、後方へ延出するよう膨出部用壁部１０２が形成されており、演出収容体８６に演出ベース体８４を取り付けた状態で、膨出部用壁部１０２が前記膨出部９２の外縁部を覆うよう構成される。
【００３４】
前記連結片１００の後面には、第１連結ボス１０３と、該第１連結ボス１０３の下方に位置する第２連結ボス１０４とが夫々後方へ突出するよう形成されている。図１４に示すように、前記第１連結ボス１０３は、第１左回動軸７７を介して前記第１左リンク部４７の第１左連繋孔７６に回動自在に連結されると共に、第２連結ボス１０４は、第２左回動軸８３を介して前記第２左リンク部４８の第２左連繋孔８２に回動自在に連結される。第１左リンク部４７および第２左リンク部４８は、平行リンク機構を構成しており、第１,第２左リンク部４７,４８が回動した際に、演出部４９は、枠状装飾部材２５の図柄表示開口部２５ａに臨んだ状態で姿勢を変えることなく平行移動するようになっている(図１２(ｂ)参照)。また、左主軸部７３、左副軸部８１および第１,第２左回動軸７７,８３は、何れも前後方向に延在していることから、第１,第２左リンク部４７,４８が回動した際に、演出部４９は、前後方向の位置を変えることなく、設置部材１４の前方開口３９ａに対し平行に移動する。なお、図６に示すように、演出収容体８６が第１,第２左リンク部４７,４８に接続された状態で、前記弧状壁部９８の前端は、前記設置部材１４の前方開口３９ａより僅かに前方に位置するようになっている。
【００３５】
図７に示すように、前記第１発光部８７は、円の上部側を水平に切断した形状をなしている。第１発光部８７の外縁は、中心角が約２４０°の円弧形状をなしており、前記演出ベース体８４の円弧状部９１の外郭形状に略整合する形状をなしている。なお、以下の説明で、第１発光部８７の円弧状の外縁部を弧状縁部８７ａと、第１発光部８７の水平方向に延在する上縁部を水平縁部８７ｂと指称する。第１発光部８７は、前記演出ベース体８４の円弧状部９１の前側にネジ止めされる。図７に示すように、前記第１発光部８７が演出ベース体８４の円弧状部９１に取り付けられた状態で、前記演出収容体８６の弧状壁部９８の上部開口に第１発光部８７の水平縁部８７ｂが臨むようになっている。第１発光部８７の前面には、複数のＬＥＤ８７ｃが全体に亘って取り付けられており、該ＬＥＤ８７ｃが発光することで前方に光を照射するようになっている。前記第１発光部８７のＬＥＤ８７ｃは、統括制御装置により発光制御されるようになっている。前記左可動体４６の第１位置においては、図６,図７に示すように、第１発光部８７が前記設置部材１４の上外周壁部３８ａの下方に近接するようになっている。なお、第１発光部８７には、弧状縁部８７ａがなす円弧形状の中心位置に、前後方向に開放する発光部通孔８７ｄが形成されている。
【００３６】
図１３に示すように、前記第１拡散部８８は、前記演出収容体８６の弧状壁部９８の内部における前記第１発光部８７の前側に配設される。第１拡散部８８は、前記第１発光部８７と略同一の外郭形状をなしており、光透過性を有する無色透明な樹脂で形成されている。第１拡散部８８の後面には、光拡散処理が施されており(図６参照)、第１発光部８７から照射された光は、第１拡散部８８で拡散されつつ前方へ透過するようになっている。前記第１拡散部８８には、前後方向に開放する第１拡散部通孔８８ａが前記第１発光部８７の発光部通孔８７ｄに対応して形成されている。前記第２拡散部８９は、前記演出収容体８６の設置リブ１０１の前側に設置された状態で演出収容体８６にネジ止めされる(図６参照)。前記第２拡散部８９は、前記第１拡散部８８と同様に、前記第１発光部８７と略同一の外郭形状をなしている。図６に示すように、第２拡散部８９は、演出収容体８６に取り付けた状態で、前記弧状壁部９８の前端と同一面上に位置し、前記設置部材１４の前方開口３９ａより僅かに前方に位置している。第２拡散部８９は、第１拡散部８８と同様に、光透過性を有する無色透明な樹脂で形成されている。また、第２拡散部８９の後面には、第１拡散部８８とは異なる態様の光拡散処理が施されている(図６参照)。そして、第１拡散部８８を透過した光は、第２拡散部８９で更に拡散されつつ第２拡散部８９を透過するようになっている。なお、前記第２拡散部８９には、前記第１拡散部８８の第１拡散部通孔８８ａと対応して、前後方向に開放する第２拡散部通孔８９ａが形成されている。
【００３７】
前記左装飾部９０は、略全体が光透過性を有する合成樹脂で形成されており、前記第１発光部８７の弧状縁部８７ａがなす円弧と略同径の円形状をなしている。図６に示すように、前記左装飾部９０の後面における中心部には、前後方向に延在する装飾用連結軸９６の前端部が接続されている。装飾用連結軸９６の後端部は、前記第２拡散部８９の第２拡散部通孔８９ａ、第１拡散部８８の第１拡散部通孔８８ａ、第１発光部８７の発光部通孔８７ｄおよび演出ベース体８４の軸挿通孔９３を挿通された状態で、前記装飾用ギヤ９７に接続されている。すなわち、前記左装飾部９０は、前記装飾用連結軸９６を介して前記演出収容体８６(第２拡散部８９)の前側に回転自在に配設される。左装飾部９０が演出収容体８６に配設された状態では、左装飾部９０の中心が前記第１発光部８７の弧状縁部８７ａの中心(前記発光部通孔８７ｄ)に対し前方に整列するよう構成される。また、図６に示すように、左装飾部９０が演出収容体８６に配設された状態で、該左装飾部９０は、前記設置部材１４の装飾反射板４３(設置部材１４の前方開口３９ａ)より僅かに前方に位置している。そして、左可動体４６の移動時に、左装飾部９０は枠状装飾部材２５の図柄表示開口部２５ａに臨んだ状態で設置部材１４の前方開口３９ａの前側を移動するようになっている。
【００３８】
ここで、図６に示すように、左装飾部９０の上部側は、第１発光部８７の水平縁部８７ｂよりも上方に突出している。従って、第１発光部８７から照射された光は、主として左装飾部９０における第１発光部８７の前側に臨む領域に到達し、当該領域を明輝させる。すなわち、左装飾部９０における第１発光部８７の前側に臨む領域は、第１発光部８７によって積極的に明輝される第１領域１０５を構成している。一方、左装飾部９０における第１発光部８７の水平縁部８７ｂより突出する領域(左装飾部９０において第１領域１０５を除いた領域)は、第１発光部８７からの光によって明輝され難い第２領域１０６を構成している。また、図６に示すように、左可動体４６の第１位置においては、前記左装飾部９０の第２領域１０６が設置部材１４の上外周壁部３８ａより上方(設置空間３９の外側)に突出するようになっている。この状態では、第２領域１０６が装飾反射板４３の前側に位置するよう構成される。後述するように、左可動体４６の第１位置においては、前記第２領域１０６は、前記右部演出装置４２の第２発光部１３６からの光により明輝されるようになっている。一方、左可動体４６の第２位置においては、第２領域１０６は、前記液晶表示装置１５の表示部１５ａの前側に臨む。そして、この状態では、図１６に示すように、液晶表示装置１５の表示部１５ａに表示された演出画像の光により明輝されるようになっている。後述するように、右部演出装置４２の右可動体１０９が第４位置に位置した場合には、第２領域１０６は第２発光部１３６からの光によっても明輝される。なお、実施例では、図６に示すように、第１領域１０５および第２領域１０６の境界線を第１発光部８７の水平縁部８７ｂを基準に規定したが、第１発光部８７の光の照射範囲や拡散方向等によって、第１領域１０５および第２領域１０６の境界線は変動し得るものである。また、第１領域１０５および第２領域１０６の境界付近では、第１発光部８７や第２発光部１３６(左可動体４６が第２位置においては表示部１５ａ)からの光が重なり合って到達し、これらの光によって明輝される。
【００３９】
〔右部演出装置について〕
図１７に示すように、右部演出装置４２は、前記設置部材１４の右対向面部３７ｄに設置されると共に右駆動モータ１０７が取り付けられた右装置本体１０８と、該右装置本体１０８に揺動自在に軸支される右可動体(第２可動体)１０９とから基本的に構成される。前記右可動体１０９は、第１右リンク部１１０および第２右リンク部１１１と、該第１,第２右リンク部１１０,１１１に回動自在に接続された右装飾部１１２とを備えている。右部演出装置４２の非演出時には、図２,図４に示すように、前記右可動体１０９は、前記設置部材１４の上外周壁部３８ａに近接した第３位置に位置するようになっている。右部演出装置４２の演出時には、前記右装飾部１１２が下降して、図９に示すように、前記液晶表示装置１５の表示部１５ａの前側に右装飾部１１２が臨んだ第４位置まで右可動体１０９が移動するよう構成される。
【００４０】
〔右装置本体について〕
図１７に示すように、右装置本体１０８の前面下部には、前後方向に開放する右主軸孔１１３が形成されると共に、該右主軸孔１１３の下方に前後方向に開放する右副軸孔１１４が形成される。また、右装置本体１０８の前面における右主軸孔１１３の上方には、前記右駆動モータ１０７が取り付けられるモータ取付面１１５が形成されている。モータ取付面１１５の下部側には、円弧状のギヤ用凹部１１６が凹設されており、右駆動モータ１０７をモータ取付面１１５に取り付けた状態で、右駆動モータ１０７から後方に突出する駆動軸１０７ａの後端に接続した右駆動ギヤ１１７(図１８(ａ)参照)がギヤ用凹部１１６に臨むようになっている。前記右駆動モータ１０７は、前記統括制御装置により駆動制御され、右駆動ギヤ１１７を正逆回転させるよう構成される。
【００４１】
〔第１右リンク部について〕
図１７に示すように、前記第１右リンク部１１０は、後リンク半体１１８と、該後リンク半体１１８の前側に配設される前リンク半体１１９とから構成されている。後リンク半体１１８には、右側下部に筒状の筒状接続部１２０が形成されており、該筒状接続部１２０に前後方向に開放する第１右揺動軸孔１２１が形成されている。そして、第１右揺動軸孔１２１に前後方向に延在する右主軸部１２２の前端部を接続すると共に、該右主軸部１２２の後端部を前記右装置本体１０８の右主軸孔１１３に回動自在に挿入することで、後リンク半体１１８(第１右リンク部１１０)が右主軸部１２２を介して右装置本体１０８に軸支される。前記筒状接続部１２０の後端部における外周面には、弧状ギヤ１２３が外方に突出するよう形成されている。この弧状ギヤ１２３は、後リンク半体１１８を右装置本体１０８に配設した状態で、前記ギヤ用凹部１１６に臨んだ右駆動ギヤ１１７に噛合するようになっている。そして、図１８(ａ),(ｂ)に示すように、前記右駆動ギヤ１１７が回転することで、前記弧状ギヤ１２３が回転されて、後リンク半体１１８(第１右リンク部１１０)が回動するよう構成される。なお、弧状ギヤ１２３が約４５°回転すると、右駆動モータ１０７の駆動が停止されて、右可動体１０９が第４位置に位置するようになっている。
【００４２】
図１９(ａ),(ｂ)に示すように、前記前リンク半体１１９は、左装飾カバー１３７および右装飾カバー１３８が前側に配設された前リンク本体１２５と、該前リンク本体１２５に配設された第２発光部１３６と、該前リンク本体１２５の左端部から前方に延出する第１連結壁部１２６と、該第１連結壁部１２６の前端部から右可動体１０９が第３位置において左側上方(図１８(ａ)では右側上方)に延出する前リンク突片１２７とから構成される。前記前リンク本体１２５には、前記第１連結壁部１２６から右方に離間した部位に、前方に膨出する設置膨出部１３９が形成され、該設置膨出部１３９に、前記右装飾カバー１３８が前側から配設されている。前リンク本体１２５における設置膨出部１３９および第１連結壁部１２６の間には、空間が画成されており、図２０に示すように、該空間に一対の設置レール１４０,１４０が設けられている。図２０に示すように、右可動体１０９が第３位置に位置した状態において、下方の設置レール１４０が上方の設置レール１４０より僅かに左方に位置しており、両設置レール１４０,１４０は、斜め上下方向に互いに離間している。各設置レール１４０は、前後方向に延在すると共に断面コ字状に形成されており、その開口部を対向する設置レール１４０に向けて開口させている。
【００４３】
前記第２発光部１３６は、矩形状の薄板部材で構成され、両設置レール１４０,１４０の間に前側から差し込まれるようになっている。そして、第２発光部１３６が設置レール１４０,１４０の間に差し込まれた状態で、前記左装飾カバー１３７を前リンク本体１２５に取り付けることで、第２発光部１３６が前リンク本体１２５に取り付けられる。前記第２発光部１３６における第１連結壁部１２６側の面(以下、実装面という)には、ＬＥＤ１３６ａが複数配設されている。図１９(ｂ)に示すように、このＬＥＤ１３６ａは、第２発光部１３６の実装面において、前記前リンク本体１２５から離間する側(前側)の側縁部に偏倚して配置されており、当該側縁部に沿って一列に並んでいる。各ＬＥＤ１３６ａは、第２発光部１３６が設置レール１４０に差し込まれた状態で、前記第１連結壁部１２６側を指向するようになっている。すなわち、右可動体１０９が第３位置に位置した状態では、図２０に示すように、ＬＥＤ１３６ａは、斜め左上方を指向し、右可動体１０９が第４位置に位置した状態では、図２１に示すように、ＬＥＤ１３６ａは、斜め左下方を指向するよう構成される。前記ＬＥＤ１３６ａは、統括制御装置により発光制御されるようになっている。
【００４４】
前記第１連結壁部１２６は、前記前リンク本体１２５に対し前方へ略垂直に延出している。第１連結壁部１２６は、光透過性を有する無色透明な合成樹脂から形成されており、前記第２発光部１３６から照射された光は、第１連結壁部１２６を透過して、前リンク本体１２５の外部へ照射されるようになっている(図２２参照)。前記前リンク突片１２７は、前記第１連結壁部１２６に対し外方(前リンク本体１２５から離間する方向)へ略垂直に延出している。前リンク突片１２７の左端部には、前後方向に開放する第１右連繋孔１２８が形成されている。また、図１８(ａ),(ｂ)に示すように、前リンク突片１２７の後面における第１右連繋孔１２８に対応する箇所に、第１接続凹部１４４が凹設され(図１９(ｂ)参照)、該第１接続凹部１４４に、円形状の第１回動盤１４４ａが回動自在に嵌め込まれるようになっている。
【００４５】
〔第２右リンク部について〕
図１７に示すように、前記第２右リンク部１１１は、右可動体１０９が第３位置に位置した状態において、斜め左上方に延在する第２右リンク本体１４１と、該第２右リンク本体１４１の左側の端部から前方に延出する第２連結壁部１４２と、該第２連結壁部１４２の前端部から第２右リンク本体１４１に離間する方向(右可動体１０９が第３位置において斜め左上方)に延出する第２リンク突片１４３とから構成される。第２右リンク本体１４１の右端部には、前後方向に開放する第２右揺動軸孔１２９が形成されている。そして、第２右揺動軸孔１２９に前後方向に延在する右副軸部１３０の前端部を接続すると共に、該右副軸部１３０の後端部を前記右装置本体１０８の右副軸孔１１４に回動自在に挿入することで、第２右リンク本体１４１(第２右リンク部１１１)が右副軸部１３０を介して右装置本体１０８に軸支される。図１８(ａ),(ｂ)に示すように、第２右リンク本体１４１は、右装置本体１０８に配設された状態で、前記前リンク本体１２５の後側を延在するようになっている。前記第２右リンク突片１４３は、図１８(ａ),(ｂ)に示すように、前記前リンク突片１２７と略平行に延在している。また、第２右リンク突片１４３の左端部には、前後方向に開放する第２右連繋孔１３１が形成されている。更に、図１８(ａ),(ｂ)に示すように、第２右リンク突片１４３の後面における第２右連繋孔１３１に対応する箇所に、円形状の第２接続凹部１４５が凹設され、該第２接続凹部１４５に、第２回動盤１４５ａが回動自在に嵌め込まれる。
【００４６】
〔右装飾部について〕
右装飾部１１２は、ハート型の外郭形状をなしており、同じくハート型で前後方向に開放する可動窓口１３２が右装飾部１１２に形成されている。右装飾部１１２の右側部には、外方へ突出する右連結片１３３が形成されており、該右連結片１３３の後面に後方に開放する軸孔(図示せず)が上下に並んで２つ形成されている。そして、前後方向に延在する第１右回動軸１３４の前端部を右連結片１３３の上側の軸孔に接続すると共に、第１右回動軸１３４の後端部を前記第１右連繋孔１２８を介して第１接続凹部１４４に配設した第１回動盤１４４ａに接続することで、右装飾部１１２が前リンク半体１１９(第１右リンク部１１０)に回動自在に連繋される。また、前後方向に延在する第２右回動軸１３５の前端部を右連結片１３３の下側の軸孔に接続すると共に、第２右回動軸１３５の後端部を前記第２右連繋孔１３１を介して第２接続凹部１４５に配設した第２回動盤１４５ａに接続することで、右装飾部１１２が第２右リンク部１１１に回動自在に連繋される。
【００４７】
ここで、前記第１右リンク部１１０および第２右リンク部１１１は、平行リンク機構を構成しており、第１,第２右リンク部１１０,１１１が回動した際に、右装飾部１１２は、姿勢を変えることなく平行移動するようになっている。また、右主軸部１２２、右副軸部１３０および第１,第２右回動軸１３４,１３５は、何れも前後方向に延在しており、右可動体１０９が揺動する際、右装飾部１１２は、設置部材１４の前方開口３９ａに対し平行に移動する。更に、右装飾部１１２は、前記第１,第２右リンク部１１０,１１１に配設された状態で、前記左装飾部９０より僅かに前方に位置すると共に前記演出用装飾部２６より僅かに後方に位置している。従って、図６に示すように、左可動体４６が第１位置に位置すると共に右可動体１０９が第３位置に位置する場合では、右装飾部１１２は、左装飾部９０および演出用装飾部２６の間に臨むようになっている。この状態では、図２に示すように、左装飾部９０は、右装飾部１１２の可動窓口１３２および演出用装飾部２６の窓口２６ａを介して前側から視認可能とされる。更に、左可動体４６が第１位置に位置すると共に右可動体１０９が第３位置に位置した状態では、図２０,図２２に示すように、第２発光部１３６のＬＥＤ１３６ａが左装飾部９０の第２領域１０６を指向する。そして、第２発光部１３６から照射された光は、第１連結壁部１２６を透過して、主として、左装飾部９０の第２領域１０６に到達するよう構成される。これにより、第１発光部８７によって明輝され難い左装飾部９０の第２領域１０６は、第２発光部１３６の光によって明輝される。また、図２２に示すように、第２発光部１３６から照射された光の一部は、前記装飾反射板４３に到達し、該装飾反射板４３により前側へ反射される。そして、装飾反射板４３で反射された光が左装飾部９０の第２領域１０６に後側から到達して、該第２領域１０６を明輝させるようになっている(図６参照)。すなわち、左可動体４６が第１位置に位置すると共に右可動体１０９が第３位置に位置する場合においては、第１発光部８７の光、第２発光部１３６の光および装飾反射板４３で反射された光によって左装飾部９０の略全体が明輝されるよう構成される。なお、図２０に示すように、第２発光部１３６から照射された光の一部は、左装飾部９０の第１領域１０５に到達して、該第１領域１０５を明輝させる。
【００４８】
図１６に示すように、左可動体４６が第２位置に位置すると共に右可動体１０９が第４位置に位置した場合では、右装飾部１１２は、左装飾部９０の前側に臨むようになっている。この状態では、図９に示すように、右装飾部１１２の可動窓口１３２を介して左装飾部９０が前側から視認可能とされる。また、左可動体４６が第２位置に位置すると共に右可動体１０９が第４位置に位置した状態では、図２１に示すように、第２発光部１３６のＬＥＤ１３６ａが、左装飾部９０の第２領域１０６を指向するよう構成される。そして、第２発光部１３６から照射された光は、主に左装飾部９０の第２領域１０６に側方から到達して、該第２領域１０６を明輝させるようになっている。前述したように、左可動体４６が第２位置に位置した状態では、図１６に示すように、左装飾部９０の第２領域１０６に液晶表示装置１５の表示部１５ａからの光が到達して、該光によっても第２領域１０６が明輝される。すなわち、左可動体４６が第２位置に位置すると共に、右可動体１０９が第４位置に位置する場合には、第１発光部８７の光、第２発光部１３６の光および液晶表示装置１５の表示部１５ａの光によって左装飾部９０の略全体が明輝されることとなる。なお、図２１に示すように、第２発光部１３６から照射された光の一部は、左装飾部９０の第１領域１０５に到達して、該第１領域１０５を明輝させる。
【００４９】
〔実施例の作用〕
次に、前述した実施例に係るパチンコ機１０の作用について、以下説明する。
【００５０】
左部演出装置４１の非演出時には、前記左可動体４６は第１位置に位置して、設置部材１４の上外周壁部３８ａに近接している(図４参照)。このとき、図６に示すように、前記左装飾部９０が設置部材１４の上外周壁部３８ａより上方に突出し、左装飾部９０の第２領域１０６が装飾反射板４３の前側に臨む。この状態では、左装飾部９０が図柄表示開口部２５ａの上部に臨むと共に前記演出用装飾部２６の窓口２６ａの後方に位置している。一方、右部演出装置４２の非演出時には、前記右可動体１０９が第３位置に位置し、設置部材１４の上外周壁部３８ａに隣接している。右可動体１０９の第３位置では、図６に示すように、右装飾部１１２が演出用装飾部２６および左装飾部９０の間に位置する。この状態では、左装飾部９０は、演出用装飾部２６の窓口２６ａおよび右装飾部１１２の可動窓口１３２を介して前側から視認可能とされる(図２参照)。また、第２発光部１３６のＬＥＤ１３６ａは、図２０に示すように、左装飾部９０の第２領域１０６を指向する。
【００５１】
前記第１発光部８７が発光すると、第１発光部８７のＬＥＤ８７ｃから照射された光は、前記第１拡散部８８および第２拡散部８９で拡散されつつ該第１,第２拡散部８８,８９を透過し、前記左装飾部９０の第１領域１０５を明輝させる。また、前記第２発光部１３６が発光されると、図２０,図２２に示すように、第２発光部１３６のＬＥＤ１３６ａから照射された光が第１連結壁部１２６を透過して、右装飾部１１２の後方を斜め左上方に照射される。そして、図２２に示すように、第２発光部１３６の光が左装飾部９０の第２領域１０６に側方から到達して、該第２領域１０６を明輝させる。更に、第２発光部１３６から照射された光の一部は、前記装飾反射板４３に到達して、該装飾反射板４３で前方へ反射される。そして、図２２に示すように、装飾反射板４３で反射された光が左装飾部９０の第２領域１０６に後側から到達して、該第２領域１０６を明輝させる。すなわち、左可動体４６が第１位置に位置すると共に、右可動体１０９が第３位置に位置する場合には、左装飾部９０は、第１,第２発光部８７,１３６の光および装飾反射板４３で反射された光により略全体が明輝される。従って、左装飾部９０の一部が明輝されずに左可動体４６の美観が低下するのを回避することができる。
【００５２】
また実施例では、左可動体４６の第１位置において、左装飾部９０が設置部材１４の上外周壁部３８ａから上方に突出し、該設置部材１４に干渉しない構成とされている。すなわち、左可動体４６が第１位置に位置した際に、左装飾部９０が設置空間３９内に位置するようにすると、上外周壁部３８ａに干渉するのを回避するため左装飾部９０の面積を小さくする必要が生じる。しかるに、実施例の左装飾部９０は、上外周壁部３８ａとの干渉を考慮する必要がないから、大きなサイズの左装飾部９０を採用することができ、遊技者にインパクトのある演出を提供することができる。
【００５３】
左部演出装置４１が可動演出する際には、前記統括制御装置の制御により左駆動モータ５１が駆動される。これにより、左駆動ギヤ６１が回転されて、大径ギヤ５２が図１１(ａ)の時計回り方向に回転される。大径ギヤ５２が回転すると、スライダー５３の横溝部６９の左右中央部(大径ギヤ５２の回転軸５２ａの下方)に位置する連結棒７０が左上方へ移動して、該連結棒７０が横溝部６９を左方へ移動しつつ横溝部６９の内側面を押し上げる。これにより、スライダー５３が上方へ押し上げられて、該スライダー５３のガイド部６３がスライドレール部５６を上方に移動する。このとき、スライドレール部５６の案内突部５８(図１０参照)が縦溝部６７を相対移動すると共に、前記摺動ボス部６５(図１１(ｂ)参照)が摺動溝５７を移動することで、スライダー５３が案内される。スライダー５３が上方に移動することで、第１左リンク部４７が前記左主軸部７３を中心に回動すると共に第２左リンク部４８が前記左副軸部８１を中心に回動し、演出部４９が下降を開始させる。このとき、第１左リンク部４７および第２左リンク部４８は、平行リンク機構を構成しているから、演出部４９は、姿勢を変えることなく下降する。
【００５４】
ここで、前記作動部６４は、左側に偏倚した箇所でガイド部６３と連結されており、左可動体４６の移動時の負荷は、ガイド部６３を介して作動部６４の左側に付与される。そこで、実施例では、左可動体４６の移動時(大径ギヤ５２が回転する間)に、前記連結棒７０が常に横溝部６９の左右中央から左端部の間に位置するようにしたので、作動部６４の左側にかかる負荷を連結棒７０で確実に支持することができる。しかも、作動部６４におけるガイド部６３に近接する側を連結棒７０が支持する構成とすることで、連結棒７０がガイド部６３から離間する作動部６４の右側を支持する構成とした場合に較べ、スライダー５３の姿勢が傾き難くなるから、スライダー５３をスムーズに移動させることができる。
【００５５】
図１２(ａ)に示すように、大径ギヤ５２が約１８０°回転すると、左駆動モータ５１の駆動が停止されて、左可動体４６が第２位置に位置する。左可動体４６が第２位置に位置すると、左装飾部９０が液晶表示装置１５の表示部１５ａの前側に位置する。この状態では、第１発光部８７の光により左装飾部９０の第１領域１０５が明輝されると共に、液晶表示装置１５の表示部１５ａで表示された演出画像の光により左装飾部９０の第２領域１０６が明輝される(図１６参照(但し、右可動体１０９が第４位置に位置した状態を示す))。すなわち、右可動体１０９が第３位置に位置していても、第１発光部８７および表示部１５ａからの光により左装飾部９０の略全体が明輝されるから、左可動体４６の発光演出時における美観が低下するのは防止し得る。
【００５６】
次に、右部演出装置４２が可動演出する場合について説明する。なお、左可動体４６は、第２位置に停止しているものとする。前記右駆動モータ１０７が駆動されて、右駆動ギヤ１１７が回転し、弧状ギヤ１２３が図１８(ａ)の時計回り方向に回転される。これにより、第１右リンク部１１０および第２右リンク部１１１が回動して、右装飾部１１２は、姿勢を変えることなく下降する。そして、図１８(ｂ)に示すように、弧状ギヤ１２３が約４５°回転すると、右駆動モータ１０７の駆動が停止されて、右可動体１０９が第４位置に位置する。右可動体１０９が第４位置に位置すると、図９に示すように、右装飾部１１２は、左装飾部９０の前側に位置する(図１６参照)。このとき、第２発光部１３６のＬＥＤ１３６ａは、図２１に示すように、左装飾部９０の第２領域１０６を指向する。
【００５７】
この状態で、第２発光部１３６が発光されると、図２１に示すように、第１連結壁部１２６を透過した光が斜め左下方へ照射されて、左装飾部９０の第２領域１０６に側方から到達する。これにより、左装飾部９０の第２領域１０６は、第２発光部１３６の光により明輝される。すなわち、左可動体４６が第２位置に位置すると共に右可動体１０９が第４位置に位置した状態では、左装飾部９０の第２領域１０６は、液晶表示装置１５の表示部１５ａからの光に加えて第２発光部１３６からの光によっても明輝されるので、第２領域１０６を更に確実に明輝させることが可能となる。しかも、図９に示すように、前記左装飾部９０は、右装飾部１１２の可動窓口１３２を介して前側から視認可能となり、左装飾部９０の発光演出を遊技者が楽しむことができる。
【００５８】
このように、実施例に係るパチンコ機１０では、左可動体４６が第１位置に位置すると共に、右可動体１０９が第３位置に位置した状態では、第１発光部８７および第２発光部１３６の光で左装飾部９０を明輝させると共に、左可動体４６が第２位置に位置すると共に、右可動体１０９が第４位置に位置した状態では、第１発光部８７、第２発光部１３６および表示部１５ａの光で左装飾部９０を明輝させる構成とした。すなわち、第１発光部８７で左装飾部９０の全体を明輝させる必要がないから、左装飾部９０より小さなサイズの第１発光部８７を採用することができ、左可動体４６(演出部４９)の重量を小さくすることができる。従って、出力の小さな左駆動モータ５１を採用し得るから、左部演出装置４１の製造コストを抑えることができる。また、左装飾部９０は大きなサイズを維持し得るから、大型の左装飾部９０による迫力ある可動演出を行うことができ、遊技の興趣を高めることができる。
【００５９】
次に、左可動体４６が第２位置から第１位置に復帰する際には、左駆動モータ５１が駆動されて、前記大径ギヤ５２が図１２(ａ)の反時計回り方向に回転される。これにより、前記連結棒７０が下降して、スライダー５３を押し下げる。スライダー５３が下方へ移動することで、第１左リンク部４７および第２左リンク部４８が図１２(ａ)の時計回り方向に回動して、前記演出部４９が上昇する。この場合も、前記連結棒７０は、常に横溝部６９の左側に位置するので、作動部６４の左側に加わる負荷を連結棒７０で確実に支持して、スライダー５３を安定的に移動させることがでる。そして、図１１(ａ)に示すように、大径ギヤ５２が約半回転して、連結棒７０が横溝部６９の左右中央部に位置すると、左駆動モータ５１の駆動が停止されて左可動体４６が第１位置に復帰する。
【００６０】
右可動体１０９が第４位置から第３位置に復帰する際には、右駆動モータ１０７が駆動されて、前記右駆動ギヤ１１７が図１８(ｂ)の時計回り方向に回転し、弧状ギヤ１２３が回転される。これにより、第１右リンク部１１０および第２右リンク部１１１が回動して、右装飾部１１２は姿勢を変えることなく上昇する。そして、図１８(ａ)に示すように、弧状ギヤ１２３が約４５°回転すると、右駆動モータ１０７の駆動が停止されて、右可動体１０９が第３位置に復帰する。右可動体１０９が第３位置に位置すると、右装飾部１１２が演出用装飾部２６および左装飾部９０の間に位置して、左装飾部９０が該右装飾部１１２の可動窓口１３２に臨む(図２参照)。
【００６１】
なお、左部演出装置４１は、左可動体４６が第１位置または第２位置に位置する場合、もしくは左可動体４６が第１位置と第２位置とを移動する間に、前記左装飾部９０を回転させる演出を行い得るようになっている。すなわち、図１４に示すように、演出用モータ８５が駆動されて演出駆動ギヤ９４が回転すると、前記装飾用ギヤ９７が演出従動ギヤ９５を介して回転される。このように、左装飾部９０が回転することで、左可動体４６の演出効果が更に高めることが可能となる。
【００６２】
〔付記〕
なお、前述した実施例の構成については、以下の如き限定が可能である。
請求項１〜４の何れか一項に記載の遊技機に対し、
第３位置の前記第２可動体(109)における第２発光部(136)から照射された光を前方へ反射させる光反射部(43)が設けられ、
前記第１可動体(46)が第１位置に位置した際に、前記装飾部(90)の第２領域(106)が前記光反射部(43)の前側に臨んで、該光反射部(43)で反射された光により明輝されるよう構成した。
付記の発明によれば、第１可動体が第１位置において、光反射部で反射された光により装飾部の第２領域が明輝される構成とした。すなわち、第２発光部から直接照射された光と光反射部で反射された光とにより第２領域を明輝させ得るから、該第２領域を確実に照らすことができる。
【００６３】
〔変更例〕
なお、前述した実施例は、以下に示す通り、種々の変更が可能である。
（１）実施例では、第２発光部を右可動体の前リンク半体に設けた場合を示したが、第２発光部により装飾部の第２領域を明輝させ得る構成であれば、第２発光部を、第２可動体の他の部位に設置してもよい。例えば、第２発光部を右装飾部の後面に取り付けて、第２可動体が第３位置(または第４位置)に位置した際に、第１位置に位置する第１可動体の装飾部の第２領域を明輝させる構成としてもよい。
（２）実施例では、左可動体および右可動体を設置部材に配設した場合を示したが、第１および第２可動体を遊技盤に設置してもよい。
（３）実施例では、遊技盤をベニア等の不透明部材で構成し、第１位置および第２位置における左装飾部は、枠状装飾部材の図柄表示開口部(演出用装飾部の窓口)を介して前側から視認可能としたが、遊技盤を透明な樹脂等から構成し、該遊技盤を介して装飾部を前側から視認し得るようにしてもよい。
（４）実施例では、左装飾部を円形としたが、装飾部としては、多角形等、円形以外の形状としてもよい。
（５）実施例では、左可動体および右可動体は、揺動する構成としたが、例えば、第１可動体(第２可動体)が第１位置(第３位置)から第２位置(第４位置)に直線的に往復移動したり、変則的に往復移動するようにしてもよい。
（６）実施例では、上下左右の枠部材を組み付けて中枠を構成したが、中枠を一体物で構成してもよい。
（７）実施例では、図柄表示手段として液晶表示装置を採用したが、ドラム式やデジタル式等、公知の図柄表示手段を採用することができる。
【符号の説明】
【００６４】
１２  遊技盤
１４  設置部材
１５  液晶表示装置
１５ａ  表示部
３４  遊技領域
３９  設置空間
３９ａ  前方開口
４６  左可動体(第１可動体)
８７  第１発光部
９０  左装飾部(装飾部)
１０５  第１領域
１０６  第２領域
１０９  右可動体(第２可動体)
１３６  第２発光部
【図１】
0005650602.tif 000002
【図２】
0005650602.tif 000003
【図３】
0005650602.tif 000004
【図４】
0005650602.tif 000005
【図５】
0005650602.tif 000006
【図６】
0005650602.tif 000007
【図７】
0005650602.tif 000008
【図８】
0005650602.tif 000009
【図９】
0005650602.tif 000010
【図１０】
0005650602.tif 000011
【図１１】
0005650602.tif 000012
【図１２】
0005650602.tif 000013
【図１３】
0005650602.tif 000014
【図１４】
0005650602.tif 000015
【図１５】
0005650602.tif 000016
【図１６】
0005650602.tif 000017
【図１７】
0005650602.tif 000018
【図１８】
0005650602.tif 000019
【図１９】
0005650602.tif 000020
【図２０】
0005650602.tif 000021
【図２１】
0005650602.tif 000022
【図２２】
0005650602.tif 000023